(57)【要約】【課題】製造コストを抑えつつ、リーケージインダクタンス変異量を調整する機能を附加するべく、リーケージインダクタンス調節機能を具有する変圧器を提供する。【解決手段】主にボビン２と鉄心部３（３１、３２）と励磁部５とより構成するが、該ボビンには空洞部２１及び側面に第一コイル巻き付け部２２１と第二コイル巻き付け部２２２をそれぞれ設け、磁気回路を形成するべく該鉄心３部を該ボビン空洞部２１内に定位し、更にリーケージインダクタンスの分布を調整するべくコイルとの間に相対して自由に移動する距離を設けて該励磁部５を設置する。【選択図】        図２
2005093466.tif 000002
【特許請求の範囲】
【請求項１】
ボビンと鉄心部と励磁部とより構成される変圧器において、
空洞部を具有し、側面が第一コイル巻き付け部と第二コイル巻き付け部とに区分されている該ボビンと、
該ボビン空洞部内に定位されて磁気回路を形成する該鉄心部と、
コイルとの間に自由に移動する距離を具有し、リーケージインダクタンスを調整する該励磁部と、
より構成されることを特徴とするリーケージインダクタンス調節機能を具有する変圧器。
【請求項２】
該鉄心部には、延伸して該ボビン空洞部に進入する延伸部が一つ以上設けられていることを特徴とする請求項１記載のリーケージインダクタンス調節機能を具有する変圧器。
【請求項３】
該ボビン或いは鉄心部上には更に励磁調整部が設けられており、該励磁部が該励磁調整部内にて移動することを特徴とする請求項１記載のリーケージインダクタンス調節機能を具有する変圧器。
【発明の詳細な説明】
【技術分野】
【０００１】
本発明はリーケージインダクタンス調節機能を具有する変圧器に係り、特にインバータモジュール中に応用され、リーケージインダクタンス調整機能を具有する変圧器に関わる。
【背景技術】
【０００２】
モニタ製造技術が発展する中で、小型化と軽量化が進んでいる。特に液晶モニタはその厚さがますます薄くなる傾向にあり、スペースをとらないことや、従来のCRTと呼ばれる陰極線管によるモニタよりも高画質であることで、現在のモニタ市場の主流となっている。
従来の一般的な液晶モニタにはバックライトモジュールが用いられており、内部には高圧駆動ランプが設けられており、この類のランプは通常インバータモジュールによって駆動するものである。該インバータモジュール内には駆動回路以外に、メインとなる電力変換用の変圧器が設けられている。
また公知の変圧器においては、図１に示すように、ボビン１０側面にスペース１１，１２が突起して設けられており、一次コイル及び二次コイルがそれぞれ該ボビン１０のスペース１１区域と複数が一組となったスペース１２区内に形成されている励磁コイル１５と感応コイル１６となって巻き付けられている。該ボビン１０には空洞部を具有し、対応するE字型鉄心１３，１４が該空洞部の両側より挿入される個所を提供している。更に該ボビン１０両側にはリード端子１７が設けられており、該励磁コイル１５と該感応コイル１６が該リード端子１７によって外部の回路と接続される。
【発明の開示】
【発明が解決しようとする課題】
【０００３】
しかし上述のような変圧器の励磁コイル１５と感応コイル１６が励磁されて相通する際、完全にカップリングされないで変圧器に磁束の漏れが生じることを免れられない、或いはコイルの構造のわずかな変化によって変圧器のリーケージインダクタンス値に影響を来たすなどの問題がある。
引き続き図１に示すように、リーケージインダクタンスを増加させるべく、ボビン上の励磁コイル１５と感応コイル１６の間に空のボビン１８を形成する方法もあるが、大量生産では変圧器のリーケージインダクタンス変異量を制御するのが容易でなく、品質チェックの際に一旦規定に合わないと測定されてしまった場合には、完全な製品にするべく巻き直しをするか或いは廃棄処分となってしまい、コストを大幅に上げる要因となってしまう。
そこで製造コストを抑えつつ、リーケージインダクタンス変異量を調整する機能を附加するべく、本発明のリーケージインダクタンス調節機能を具有する変圧器を提供する。
【課題を解決するための手段】
【０００４】
主にボビンと鉄心部と励磁部とより構成するが、該ボビンには空洞部及び側面に第一コイル巻き付け部と第二コイル巻き付け部をそれぞれ設け、磁気回路を形成するべく該鉄心部を該ボビン空洞部内に定位し、更にリーケージインダクタンスの分布を調整するべくコイルとの間に相対して自由に移動する距離を設けて該励磁部を設置する。
【発明の効果】
【０００５】
本発明によると、リーケージインダクタンスを再調整する機能を設けたことで、リーケージインダクタンス変異量を修正する目的が達成された。
【発明を実施するための最良の形態】
【０００６】
図２，３に示すように、本発明のリーケージインダクタンス調節機能を具有する変圧器は、主にボビン２、鉄心部３、励磁部５より構成されており、該励磁部５と該ボビン２間には励磁調整部４が設けられている。
該ボビン２内部には空洞部２１が、また該ボビン２上にはスペース２２を具有し、第一コイル巻き付け部２２１と第二コイル巻き付け部２２２に隔てられている。また該ボビン２両側に形成された側壁２３は、該励磁調整部４が設置される個所を提供し、該側壁２３至端には外部の回路と連結するべくリード端子２４が設けられている。本実施例中では該一次コイルが励磁コイル２５、二次コイルが感応コイル２６と定義づけられる。
該鉄心部３は、第一鉄心３１と第二鉄心３２とより構成され、該第二鉄心３２は該ボビン２中の空洞部２１内に延伸して収容されており、該第一鉄心３１と第二鉄心３２を相互に結合させて磁気回路を形成している。
該励磁調整部４は、可動パイロット腔４１が設けられており、両側にはそれぞれ該ボビン２の側壁２３に対応した連結架４２が設けられており、該連結架４２を該側壁２３に合わせて定位することで、該励磁調整部４を該ボビン２上に定位し、該可動パイロット腔４１内に該励磁部５が可動な状態で設置され、こうして磁束の漏れを調整する。
図４に示すように、増設された該励磁部５は該ボビン空洞部２１の軸心方向に沿って移動するが、該励磁コイル２５と該感応コイル２６に対して移動する距離d１が大きいほど、該励磁部５は該励磁コイル２５から離れるのであり、つまり該感応コイル２６の部分の磁束漏れを減少しても反対方向は相対して増加するため、リーケージインダクタンスを調整する目的が達成されるのである。
また図５に示すように、該励磁部５は上記と異なる方向にボビンを結合させてもよく、そうした場合には該励磁部５とボビン間に、軸心に対して垂直に移動する移動距離d２が生じる。本実施例中では該励磁部５の移動距離d２が励磁コイル２５と感応コイル２６に接近した際、一部の磁束漏れを増加させるが、逆に該励磁コイル２５と感応コイル２６を離れると一部の磁束漏れが減少し、こうすることで必要に応じてリーケージインダクタンス値が調整され、該変圧器のリーケージインダクタンスの分布に調整機能を与える。
【図面の簡単な説明】
【０００７】
【図１】公知における変圧器の立体分解図である。
【図２】本考案における第一実施例の立体分解図である。
【図３】本考案における第二実施例組み立て後の側面図である。
【図４】本考案の変圧器において、リーケージインダクタンスがd１方向で調整される様子を示す図である。
【図５】本考案の変圧器において、リーケージインダクタンスがd２方向で調整される様子を示す図である。
【符号の説明】
【０００８】
１０  ボビン
１１，１２  スペース
１３，１４  鉄心
１５  励磁コイル
１６  感応コイル
１７  リード端子
１８  空のコイル
２  ボビン
２１  空洞部
２２  スペース
２２１  第一コイル巻き付け部
２２２  第二コイル巻き付け部
２３  側壁
２４  リード端子
２５  励磁コイル
２６  感応コイル
３  鉄心部
３１  第一鉄心
３２  第二鉄心
４  励磁調整部
４１  可動パイロット腔
４２  連結架
５  励磁部
【図１】
2005093466.tif 000003
【図２】
2005093466.tif 000004
【図３】
2005093466.tif 000005
【図４】
2005093466.tif 000006
【図５】
2005093466.tif 000007